(57)【要約】      （修正有）【課題】水撃防止機能を付与しつつ配管接続の作業性を高め、水漏れを防止する水撃防止器付フレキシブル継手を提供する。【解決手段】可撓性を有するフレキシブル管２の端部に、袋ナット４を回動自在に嵌め、袋ナット４をフレキシブル管２に嵌めた係止リング５により抜け止めし、袋ナット４に挿入した円環状のパッキン７の径面をフレキシブル管２のフランジ６に当接させて、袋ナット４を配管にねじ込むフレキシブル継手において、フレキシブル管２の端部に、その長さ方向に突出する差込筒部８を設け、差込筒部８にパッキン７の内周面を圧着させ、フレキシブル管２の一方の端部に三方分岐管９を介して水撃防止器１０を取り付ける。【選択図】図２
0003156347.tif 000002
【実用新案登録請求の範囲】
【請求項１】
可撓性を有するフレキシブル管(2)の端部に、袋ナット(4)を回動自在に嵌め、袋ナット(4)をフレキシブル管(2)に嵌めた係止リング(5)により抜け止めし、袋ナット(4)に挿入した円環状のパッキン(7)の径面をフレキシブル管(2)のフランジ(6)に当接させて、袋ナット(4)を配管にねじ込むフレキシブル継手において、フレキシブル管(2)の端部に、その長さ方向に突出する差込筒部(8)を設け、差込筒部(8)にパッキン(7)の内周面を圧着させ、フレキシブル管(2)の一方の端部に三方分岐管(9)を介して水撃防止器(10)を取り付けたことを特徴とするフレキシブル継手。
【請求項２】
可撓性を有するフレキシブル管(2)の端部に、袋ナット(4)を回動自在に嵌め、袋ナット(4)をフレキシブル管(2)に嵌めた係止リング(5)により抜け止めし、袋ナット(4)に挿入した円環状のパッキン(7)の径面をフレキシブル管(2)のフランジ(6)に当接させて、袋ナット(4)を配管にねじ込むフレキシブル継手において、フレキシブル管(2)の端部に、その長さ方向に突出する差込筒部(8)を設け、差込筒部(8)にパッキン(7)の内周面を圧着させ、フレキシブル管(2)の一方の端部に水撃防止器(10)をハンドルとする止水栓(11)を取り付けたことを特徴とするフレキシブル継手。
【考案の詳細な説明】
【技術分野】
【０００１】
この考案は、止水に伴う水道水の脈動による衝撃を緩和する機能を備えたフレキシブル継手に関するものである。
【背景技術】
【０００２】
現在、洗面台、流し台等においては、一般にシングルレバー式の湯水混合栓が使用されている。この混合栓において、流水状態から急に止水すると、配管を流れていた湯水が行き場をなくして、瞬間的な圧力を生み出し、これが衝撃音や振動となって配管へ伝達する水撃現象が生じていた。
【０００３】
その対策として、例えば、下記特許文献１には、図７に示すように、混合栓５１を接続する偏心管５２の端部に、緩衝材を封入した水撃防止器５３を取り付け、水撃現象を緩和する手段が記載されている。
【０００４】
ところで、混合栓５１は、偏心管５２から洗面台や流し台の下方へ延びるフレキシブル継手２１を介して止水栓５４に接続されることが多い。
【０００５】
このフレキシブル継手２１は、図８及び図９に示すように、フレキシブル管２２の外周を被覆管２３で被覆し、フレキシブル管２２の両端部に袋ナット２４を回動自在に嵌め、袋ナット２４をフレキシブル管２２の外周に嵌めた係止リング２５により抜け止めし、フレキシブル管２２のフランジ２６で係止リング２５を保持したものとされている。
【０００６】
このようなフレキシブル継手２１を使用して、混合栓５１側の偏心管５２と止水栓５４とを連結する際には、袋ナット２４内に挿入した円環状のパッキン２７の径面をフランジ２６に当接させ、袋ナット２４を回転させて、偏心管５２及び止水栓５４の端部外周にねじ込んで締め付ける。
【先行技術文献】
【特許文献】
【０００７】
【特許文献１】特許第２８１１５６６号公報
【考案の概要】
【考案が解決しようとする課題】
【０００８】
しかしながら、上記のように、施工に際し、フレキシブル継手２１による配管の連結及び偏心管５２への水撃防止器５３の取り付けを行なう場合、現場での作業に手間がかかるほか、パッキン２７が脱落して、所在不明になる場合もある。
【０００９】
また、フレキシブル継手２１と、これに接続する偏心管５２等の軸線とが折線状に屈曲するような力が作用すると、パッキン２７の径面の圧着が不均等になってシール性が損なわれ、水漏れが生じやすいという問題もある。
【００１０】
また、袋ナット２４の配管へのねじ込みに伴い、パッキン２７が袋ナット２４と共に回転しようとし、これに伴いパッキン２７が捩れて、パッキン２７の損傷により水漏れが生じることもある。
【００１１】
そこで、この考案は、水撃防止機能を付与しつつ、配管接続の作業性を高めると共に、水漏れを防止することを課題とする。
【課題を解決するための手段】
【００１２】
上記課題を解決するため、この考案に係るフレキシブル継手は、可撓性を有するフレキシブル管の端部に、袋ナットを回動自在に嵌め、袋ナットをフレキシブル管に嵌めた係止リングにより抜け止めし、袋ナットに挿入した円環状のパッキンの径面をフレキシブル管のフランジに当接させて、袋ナットを配管にねじ込むフレキシブル継手において、フレキシブル管の端部に、その長さ方向に突出する差込筒部を設け、差込筒部にパッキンの内周面を圧着させ、フレキシブル管の一方の端部に三方分岐管を介して水撃防止器を取り付けたのである。
【００１３】
また、三方分岐管を介することなく、フレキシブル管の一方の端部に水撃防止器をハンドルとする止水栓を取り付けたのである。
【考案の効果】
【００１４】
このフレキシブル継手を介して配管同士を連結すると、フレキシブル管と水撃防止器とが予め一体となっているので、容易に施工することができ、パッキンの内周面が差込筒部に圧着しているので、施工時にパッキンが脱落して所在不明になることもない。
【００１５】
また、フレキシブル管の差込筒部を配管に差し込むので、配管とフレキシブル管の軸線が折線状に屈曲することがない。
【００１６】
このため、パッキンの径面における圧着の均等性が保持され、また、差込筒部へのパッキン内周面の圧着により、袋ナットの締め付けに伴うパッキンの捩れも防止され、フレキシブル管と配管の接続部の水漏れが確実に防止される。
【図面の簡単な説明】
【００１７】
【図１】第１実施形態に係る水撃防止器付フレキシブル継手の使用状態を示す斜視図
【図２】同上のフレキシブル継手の縦断面図
【図３】同上の接続部の拡大断面図
【図４】同上のフレキシブル管を湾曲させた接続状態を示す一部拡大断面図
【図５】第２実施形態に係る水撃防止器付フレキシブル継手の使用状態を示す斜視図
【図６】同上のフレキシブル継手の縦断面図
【図７】従来のフレキシブル継手の使用状態を示す斜視図
【図８】同上のフレキシブル継手の縦断面図
【図９】同上の接続部の拡大断面図
【考案を実施するための形態】
【００１８】
まず、この考案の第１実施形態を図１乃至図４に基づいて説明する。
【００１９】
図１に示すように、このフレキシブル継手１は、従来のものと同様、例えば、混合栓５１を接続する偏心管５２と、流し台や洗面台の下方にある止水栓５４とを連結する場合等に使用するものである。
【００２０】
図２及び図３に示すように、フレキシブル継手１において、ステンレス等の金属から成る蛇腹状のフレキシブル管２の外周は、ゴム等から成る蛇腹状の被覆管３で被覆され、フレキシブル管２及び被覆管３は、自由に湾曲させることができるものとなっている。
【００２１】
フレキシブル管２の両端部には、袋ナット４が回動自在に嵌められており、袋ナット４は、フレキシブル管２に嵌められたステンレス等の金属から成る係止リング５により抜け止めされ、係止リング５は、フレキシブル管２のフランジ６により保持されている。
【００２２】
袋ナット４には、円環板状のゴム製のパッキン７が挿入され、その一径面は、フランジ６に当接している。フレキシブル管２の両端部には、その長さ方向にフランジ６から突出する差込筒部８が設けられ、パッキン７の内周面は、差込筒部８に圧着している。
【００２３】
フレキシブル管２の下端部には、三方分岐管９の一方の直通接続部が接続され、三方分岐管９の分岐接続部には、水撃防止器１０が取り付けられている。
【００２４】
そして、現場での施工に際し、フレキシブル管２の上端部には、混合栓側の偏心管５２が接続され、三方分岐管９の他方の直通接続部には、止水栓５４が接続される。
【００２５】
ここで、フレキシブル管２への偏心管５２及び三方分岐管９の接続に際しては、上端側の差込筒部８を偏心管５２に、下端側の差込筒部８を三方分岐管９にそれぞれ差し込み、袋ナット４を回転させて、偏心管５２及び三方分岐管９の端部外周にねじ込む。
【００２６】
このようなフレキシブル継手１を介して偏心管５２と止水栓５４とを連結すると、フレキシブル管２と水撃防止器１０とが予め一体となっているので、容易に施工することができ、パッキン７の内周面が差込筒部８に圧着しているので、施工時にパッキン７が脱落して所在不明になることもない。
【００２７】
また、フレキシブル管２の差込筒部８を偏心管５２及び三方分岐管９等の配管に差し込むので、図４に示すように、フレキシブル管２を湾曲させても、接続された配管の軸線とフレキシブル管２の軸線とが折線状に屈曲することがない。
【００２８】
このため、パッキン７の径面における圧着の均等性が保持され、また、上述した差込筒部８へのパッキン７の内周面の圧着により、袋ナット４の締め付けに伴うパッキン７の捩れも防止されて、配管との接続部の水漏れが確実に防止される。
【００２９】
なお、湯水混合栓ではなく、水だけの水栓に適用される場合等、断熱性や防露性が不要な場合には、被覆管３を省略してもよい。また、止水栓５４は、垂直な壁面から給水されるものではなく、床から立ち上がる配管から給水されるものとしてもよい。
【００３０】
次に、この考案の第２実施形態を図５及び図６に基づいて説明する。
【００３１】
このフレキシブル継手１では、上記第１実施形態のように、フレキシブル管２の下端部に、三方分岐管を介することなく、水撃防止器１０をハンドルとする止水栓１１が取り付けられ、止水栓１１の下端部に、床から立ち上がる配管５５を接続している。
【００３２】
水撃防止器１０としては、ダイヤフラム１０ａ及び緩衝材１０ｂを備え、止水栓１１の弁棒内の連通路１１ａを介して作用する水撃を緩和するものを例示しているが、他のタイプのものを使用してもよい。
【００３３】
このようなフレキシブル継手１を使用すると、上記第１実施形態のように、単体の止水栓５５と水撃防止器１０とを現場で接続する必要がなくなるので、施工性をさらに向上させることができる。
【００３４】
なお、上記各実施形態では、フレキシブル継手１の上端部に、混合栓側の偏心管５２を接続し、フレキシブル継手１の下端部に、止水栓５４又は床から立ち上がる配管５５を接続する例をそれぞれ示したが、フレキシブル継手１に接続する配管は、これらに限定されるものではない。
【符号の説明】
【００３５】
１  フレキシブル継手
２  フレキシブル管
３  被覆管
４  袋ナット
５  係止リング
６  フランジ
７  パッキン
８  差込筒部
９  三方分岐管
１０  水撃防止器
１１  水撃防止器付き止水栓
【図１】
0003156347.tif 000003
【図２】
0003156347.tif 000004
【図３】
0003156347.tif 000005
【図４】
0003156347.tif 000006
【図５】
0003156347.tif 000007
【図６】
0003156347.tif 000008
【図７】
0003156347.tif 000009
【図８】
0003156347.tif 000010
【図９】
0003156347.tif 000011